(57)【要約】【課題】股関節に有効な刺激を加えることができる股関節刺激装置を提供する。【解決手段】一対の支持棒２，２の基端が、それぞれ基盤１０上で回動するように設けられ、当該支持棒２，２の先端には、大腿部５１または下腿部５２の裏面を支持可能となされた支持板３，３がそれぞれ設けられ、前記支持棒２，２は、クランク軸４０，４０を介して基盤１０上に設けられたモータ４と連動し、支持板３，３同士が最も近接した基準位置Ａから、互いに離隔する離隔位置Ｂに回動したり、元の基準位置Ａに回動したりするように構成され、支持板３，３上に支持した大腿部５１，５１または下腿部５２，５２の裏面を基準位置Ａと離隔位置Ｂとの間で往復運動させることで、股関節の外旋運動を行うようになされた股関節刺激装置１である。【選択図】  図１
2015029716.tif 000002
【特許請求の範囲】
【請求項１】
一対の支持棒の基端が、それぞれ基盤上で回動するように設けられ、当該支持棒の先端には、大腿部または下腿部の裏面を支持可能となされた支持板がそれぞれ設けられ、
前記支持棒は、クランク軸を介して基盤上に設けられたモータと連動し、支持板同士が最も近接した基準位置から、互いに離隔する離隔位置に回動したり、元の基準位置に回動したりするように構成され、支持板上に支持した大腿部または下腿部の裏面を基準位置と離隔位置との間で往復運動させることで、股関節の外旋運動を行うようになされたことを特徴とする股関節刺激装置。
【請求項２】
支持棒は、クランク軸に連結されて下半部を構成する回動軸部と、支持板が設けられて上半部を構成するオフセット軸部とを有し、回動軸部に対してオフセットされたオフセット軸部が、互いに最も近接する位置から、互いに所定の距離だけ離隔した位置までの所望のオフセット位置で固定できるようになされ、オフセット軸部同士が互いに近接する位置で、支持板同士の間隔が、解剖学的肢位における大腿下部または下腿下部の間隔と等しくなるように設定された請求項１に記載の股関節刺激装置。
【請求項３】
支持棒のオフセット軸部同士を互いに近接する位置で、かつ、基準位置に回動させた状態から、支持棒のオフセット軸部同士を互いに離隔する位置で、かつ、離隔位置に回動させた状態までの距離が、２０ｃｍ以上４５ｃｍ以下となされた請求項２に記載の股関節刺激装置。
【請求項４】
支持棒に、長さの調整手段が設けられて支持板は、端坐位における大腿部の裏面または長坐位における下腿部の裏面の高さに調整できるようになされた請求項１ないし３の何れか一に記載の股関節刺激装置。
【請求項５】
クランク軸は、所定のトルクを超えると、伸びたり屈曲したりして弾性変形可能となされたものである請求項１ないし４の何れか一に記載の股関節刺激装置。
【請求項６】
１:１で歯合する同直径の一対のギアの一方に、モータの出力軸が連結され、これらギアの同一歯合部付近にクランク軸を介して支持棒が設けられ、当該ギアの回転運動を、クランク軸を介して支持棒の回動運動に変換するようになされた請求項１ないし５の何れか一に記載の股関節刺激装置。
【発明の詳細な説明】
【技術分野】
【０００１】
本発明は、坐位で股関節を自動的に外旋させたり、背臥位で股関節を自動的に外転させたりすることができる股関節刺激装置に関するものである。
【背景技術】
【０００２】
従来より、本発明者は、いわゆる貧乏揺すりを自動的に行って健康を改善するための健康器具として、足底の踵部が載置可能となされた動作板を上下動するように構成した下肢振動装置を提案している（例えば、特許文献１参照）。
【先行技術文献】
【特許文献】
【０００３】
【特許文献１】特許第５１６６６２４号公報
【発明の概要】
【発明が解決しようとする課題】
【０００４】
しかし、上記従来の下肢振動装置の場合、いわゆる貧乏揺すり運動によって股関節に振動刺激を加えることができるが、その前提として動作板に足底の踵部を載置させたまま上下動させなければならない。したがって、足関節や膝関節を痛めていたり、その付近のじん帯や腱を負傷していたりする等の理由により、下肢をリラックスさせておくことができないような使用者の場合、動作板に足底の踵部を常に載せた状態で、足底の解剖学的肢位（ゼロポイント）と背屈とを繰り返すことができず、股関節に振動刺激を加えることができない。
【０００５】
そのため、足底全体を動作板に乗せて足底全体を上下動させることで、股関節に振動刺激を加えることが考えられるが、このような場合であっても、膝関節を痛めているような場合には使用することができない。また、このような負傷をしていな場合であっても、足関節や膝関節が柔らかく柔軟性に富む使用者の場合には、動作板による上下動が足関節や膝関節によって吸収され易くなり、股関節に有効な振動刺激を加えることができないことが考えられる。
【０００６】
本発明は、係る実情に鑑みてなされたものであって、股関節に有効な刺激を加えることができる股関節刺激装置を提供することを目的としている。
【課題を解決するための手段】
【０００７】
上記課題を解決するための本発明の股関節刺激装置は、一対の支持棒の基端が、それぞれ基盤上で回動するように設けられ、当該支持棒の先端には、大腿部または下腿部の裏面を支持可能となされた支持板がそれぞれ設けられ、前記支持棒は、クランク軸を介して基盤上に設けられたモータと連動し、支持板同士が最も近接した基準位置から、互いに離隔する離隔位置に回動したり、元の基準位置に回動したりするように構成され、支持板上に支持した大腿部または下腿部の裏面を基準位置と離隔位置との間で往復運動させることで、股関節の外旋運動を行うようになされたものである。
【０００８】
上記股関節刺激装置において、支持棒は、クランク軸に連結されて下半部を構成する回動軸部と、支持板が設けられて上半部を構成するオフセット軸部とを有し、回動軸部に対してオフセットされたオフセット軸部が、互いに最も近接する位置から、互いに所定の距離だけ離隔した位置までの所望のオフセット位置で固定できるようになされ、オフセット軸部同士が互いに近接する位置で、支持板同士の間隔が、解剖学的肢位における大腿下部または下腿下部の間隔と等しくなるように設定されたものであってもよい。
【０００９】
上記股関節刺激装置において、支持棒のオフセット軸部同士を互いに近接する位置で、かつ、基準位置に回動させた状態から、支持棒のオフセット軸部同士を互いに離隔する位置で、かつ、離隔位置に回動させた状態までの距離が、２０ｃｍ以上４５ｃｍ以下となされたものであってもよい。
【００１０】
上記股関節刺激装置において、支持棒に、長さの調整手段が設けられて支持板は、端坐位における大腿部の裏面または長坐位における下腿部の裏面の高さに調整できるようになされたものであってもよい。
【００１１】
上記股関節刺激装置において、クランク軸は、所定のトルクを超えると、伸びたり屈曲したりして弾性変形可能となされたものであってもよい。
【００１２】
上記股関節刺激装置において、１:１で歯合する同直径の一対のギアの一方に、モータの出力軸が連結され、これらギアの同一歯合部付近にクランク軸を介して支持棒が設けられ、当該ギアの回転運動を、クランク軸を介して支持棒の回動運動に変換するようになされたものであってもよい。
【発明の効果】
【００１３】
以上述べたように、本発明によると、支持板上に支持した大腿部または下腿部の裏面を、支持板同士が近接した基準位置と、離隔した離隔位置との間で往復運動させることで、股関節の外旋運動を行うことができる。したがって、足関節や膝関節などに負傷を抱えてリラックスさせることができない使用者等の場合であっても、大腿部の裏面を支持板で支持して基準位置と離隔位置との間で往復運動させることで、股関節に外旋運動による有効な振動刺激を加えることができる。
【図面の簡単な説明】
【００１４】
【図１】本発明に係る股関節刺激装置の全体構成の概略を示す斜視図である。
【図２】本発明に係る股関節刺激装置の全体構成の概略を示す側面図である。
【図３】（ａ）および（ｂ）は、本発明に係る股関節刺激装置の回動軸部とオフセット軸部との固定状態を説明する断面図である。
【図４】本発明に係る股関節刺激装置の基準位置および離隔位置で使用する際の状態を説明する正面図である。
【図５】本発明に係る股関節刺激装置の第二基準位置および第二離隔位置で使用する際の状態を説明する正面図である。
【図６】本発明に係る股関節刺激装置の使用状態を説明する側面図である。
【図７】本発明に係る股関節刺激装置の使用状態を説明する平面図である。
【図８】（ａ）は本発明に係る股関節刺激装置の基準位置での使用状態を示す正面図、（ｂ）は同股関節刺激装置の離隔位置での使用状態を示す正面図である。
【図９】本発明に係る股関節刺激装置の長坐位での使用状態を説明する側面図である。
【図１０】本発明に係る股関節刺激装置の背臥位での使用状態を説明する側面図である。
【図１１】本発明に係る股関節刺激装置の背臥位での他の使用状態を説明する側面図である。
【図１２】（ａ）は本発明に係る股関節刺激装置の第二基準位置での使用状態を示す正面図、（ｂ）は同股関節刺激装置の第二離隔位置での使用状態を示す正面図である。
【発明を実施するための形態】
【００１５】
以下、本発明の実施の形態を図面を参照して説明する。
【００１６】
図１ないし図５は本発明に係る股関節刺激装置１を示し、図６ないし図１２は同股関節刺激装置１の使用状態を示している。
【００１７】
この股関節刺激装置１は、一対の支持棒２の基端が、それぞれ基盤１０上で回動するように設けられ、当該支持棒２の先端には、支持板３がそれぞれ設けられ、前記支持棒２は、クランク軸４０を介して基盤１０上に設けられたモータ４と連動し、支持板３同士が最も近接した基準位置Ａから、互いに離隔する離隔位置Ｂに回動したり、元の基準位置Ａに回動したりして、基準位置Ａと離隔位置Ｂとの間を往復動できるように構成されている。
【００１８】
基盤１０は、その長辺が人間の肩幅よりも広い幅に形成された長方形状の板状に形成されており、長辺方向に沿った両側には支持棒２を回動可能に連結するための軸受台１１が設けられている。この軸受台１１は、基盤１０から延設したブラケット１１ａに、ピン１１ｂを設けて構成されている。
【００１９】
支持棒２は、下半部を構成する回動軸部２１と、上半部を構成するオフセット軸部２２とからなる。
【００２０】
回動軸部２１は、直管のパイプ状に形成された本体の下端部に、軸受部２１ａが設けられている。この軸受部２１ａは、基盤１０の両側に設けられた軸受台１１のピン１１ｂに回動可能に連結される。回動軸部２１の上端部は、その内部にオフセット軸部２２を挿通することができるように開口されている。また、回動軸部２１の上端部の外周面には、後述するクランク軸４０と連結するための連結部２１ｂが突設されている。
【００２１】
オフセット軸部２２は、ステー２２ａの一端に、上記回動軸部２１の上端部に挿入される挿入部２２ｂが設けられ、他端からは直管のパイプ状に形成された支持軸部２２ｃが延設されている。図３に示すように、挿入部２２ｂは、ステー２２ａの一端に設けられたハンドル部２２ｄを回転させることで、テーパ部２２１ｂを有するボルト２２２ｂを引き寄せたり、離隔したりすることで、割ピン２２３ｂが拡径したり、縮径したりして回動軸部２１の上端部に固定できるように構成されている。すなわち、挿入部２２ｂは、割ピン２２３ｂを縮径させた状態で回動軸部２１の上端部に挿入した後、支持軸部２２ｃを所望の位置に位置させた後、ハンドル部２２ｄを回転させて割ピン２２３ｂ拡径させることで、回動軸部２１に対してオフセット軸部２２を固定することができる。この際、オフセット軸部２２は、ステー２２ａの長さの分だけ、回動軸部２１に対して所望の方向にオフセットさせることができる。支持軸部２２ｃの開口端には、固定金具２２ｅが設けられている。この固定金具２２ｅは、この支持軸部２２ｃの開口端から入れ子式に挿入される高さ調整パイプ３１を締め付けて固定することができるようになされている。
【００２２】
支持板３は、その表面が、使用者５の大腿部５１の下部裏面をサポートできるように半円を形成する円弧状に湾曲されており、裏面からは上記したオフセット軸部２２の支持軸部２２ｃの開口端に挿入される高さ調整パイプ３１が設けられている。この高さ調整パイプ３１は、支持板３に対して回動可能に設けられており、これによって支持板３は、大腿部５１を外旋させる動きに追従して大腿部５１を支持できるようになされている。
【００２３】
モータ４は、基盤１０の中央部に設けられており、１：１で歯合する同直径の一対のギア４１，４２のうちの一方のギア４１と駆動連結されている。他方のギア４２は、フレーム４３に設けられた軸部４２ａに連結されている。この状態で一対のギア４１，４２は、支持棒２の回動軸部２１と横並びで水平に回転する位置に設けられる。そして、回動軸部２１の上端の連結部２１ｂと、それに隣接するそれぞれのギア４１，４２の上面の外周部との間がクランク軸４０によって連結され、モータ４によるギア４１，４２の回転は、支持棒２の先端に設けた支持板３が基準位置Ａと離隔位置Ｂとの間を往復する往復運動へと変換される。
【００２４】
この際、クランク軸４０は、支持棒２の先端に設けた支持板３のそれぞれが、基準位置Ａと離隔位置Ｂとで同期するように、それぞれのギア４１，４２に連結されている。すなわち、ギア４１，４２同士が歯合する位置で支持板３同士が最も近接する基準位置Ａとなり、この歯合する位置から１８０度回転した反歯合位置で、支持板３同士が最も離隔する離隔位置Ｂとなるように連結されている。
【００２５】
なお、上記基準位置Ａは、図４および図８に示すように、支持棒２のオフセット軸部２２同士を最も近づくようにオフセットさせた状態で、支持板３同士の間隔が、使用者５の解剖学的肢位における大腿部５１の下部の間隔（ゼロポイント）と等しくなるように設定されている。したがって、この基準位置Ａから離隔位置Ｂへとギア４１，４２が半回転した状態で、支持板３は、ゼロポイントから最も離隔した離隔位置Ｂへと離隔する。すなわち、端坐位になった使用者５の大腿部５１が、ゼロポイントから外旋し、また元のゼロポイントへ戻るといった動作を反復することとなる。この際、基準位置Ａと離隔位置Ｂとの間で、どの程度の距離の往復運動を繰り返すかについては、特に限定されものではなく、股関節を刺激できる程度の往復運動を行う距離に設定されていればよい。具体的には、片足につき基準位置Ａから離隔位置Ｂまでの距離が約１０ｃｍ程度の範囲内、使用者５の大腿部５１の外旋角度で１５度以下程度の範囲内となるように往復運動させるように設定されていることが好ましい。
【００２６】
また、オフセット軸部２２は、上記したようにゼロポイントの基準位置Ａと、当該基準位置Ａから離隔した離隔位置Ｂとの間で往復運動して大腿部５１が外旋運動するようになされているが、この基準位置Ａおよび離隔位置Ｂを変更して異なった外旋位置で往復運動するものであってもよい。すなわち、ハンドル部２２ｄを緩めた後、回動軸部２１に対してオフセット軸部２２を所望の位置に変更してオフセット量を変更した後、再度ハンドル部２２ｄを締め付けて、回動軸部２１に対してオフセット軸部２２を固定することで、図５および図１２に示すように、ゼロポイント以外の他の第二基準位置Ａ２と、この第二基準位置Ａ２から離隔した第二離隔位置Ｂ２との間で往復運動するように変更することができる。
【００２７】
ただし、第二離隔位置Ｂ２となった際に、最も大腿部５１が外旋することとなるので、この第二離隔位置Ｂ２となった時の大腿部５１の外旋角度が、坐位における一般的な外旋角度の限界である４５度を超えない位置となるようにオフセット位置を変更することが好ましい。具体的には第二離隔位置Ｂ２は、基準位置Ａから２０ｃｍ〜４５ｃｍ程度の位置となるように設定することが好ましい。このような下肢の外旋角度の限界付近で下肢の外旋運動を行うことで、股関節を異なった外旋位置で刺激することができ、股関節の可動域を大きくすることができることとなる。また、この第二基準位置Ａ２および第二離隔位置Ｂ２での使用は、大臀筋５４（図６参照）の意識も高くなり、上記した基準位置Ａでの股関節刺激とは異なった効果が得られることとなる。
【００２８】
また、モータ４は、支持棒２と緩衝することなく基盤１０に被覆される筐体１２に設けられたスイッチ４４（図２参照）のオンオフによって作動させることができるように構成されている。この際、スイッチ４４に回転数の調整ツマミ（図示省略）が設けられ、回転数を調整できるように構成されていてもよいし、リモコンスイッチ（図示省略）による遠隔操作でオンオフおよび回転数の調整を行うようになされたものであってもよいし、モータ４への電源コード（図示省略）の途中にこのようなスイッチ４４が設けられたものであってもよい。
【００２９】
クランク軸４０は、ギア４１，４２の上面の外周部と、支持棒２の回動軸部２１の上端部に突設された連結部２１ｂとの間に回動可能に連結される。このクランク軸４０は、軸部本体４０ａが、コイル状に巻回された鋼線によって構成されており、ギア４１，４２の回転を、支持棒２の回動軸部２１に伝達する際に、ある一定以上のトルクが加わると、この軸部本体４０ａが伸びたり屈曲したりして支持棒２の先端に設けた支持板３が基準位置Ａと離隔位置Ｂとの間を強制的に往復動しないように構成されている。すなわち、支持板３に大腿部を載せて使用している際に、使用者の意に反するような往復動が行われないように、支持板３の動きに対して使用者が一定以上のトルクで動きに対抗した場合には、クランク軸４の軸部本体４０ａの部分が伸びたり屈曲したりして使用者の怪我防止を図るようになされている。
【００３０】
このようにして構成される股関節刺激装置１は、図６ないし図８に示すように、基盤１０の一方の長辺と対向する位置に使用者５が端坐位になった状態で、支持板３を高さ調整し、端坐位になった使用者５の大腿部５１の裏面を支持板３で支持できるように、支持棒２および支持板３の大きさが決められている。また、図７に示すように、支持棒２を回動可能に連結するために基盤１０に設けられた軸受台１１は、当該基盤１０の長辺方向に対して斜めに設けられ、使用者５の大腿部５１の外旋の軌跡に沿って追従するようになされている。
【００３１】
次に、この股関節刺激装置１の使用方法について説明する。
【００３２】
まず、ゼロポイント附近での股関節刺激の使用方法について述べる。
【００３３】
使用者５は、図６ないし図８に示すように、股関節刺激装置１の基盤１０の一方の長辺と対向する位置に端坐位となり、支持板３上に大腿部５１の裏面を載置させる。この際、支持板３の高さは、使用者５の足底全体または踵部が地面から浮き上がるように支持するものであってもよいし、足底は地面に付いているが、大腿部５１を外旋させることができる程度に支持するように調整しておく。また、支持板３は、基準位置Ａにおいて、解剖学的肢位における大腿部５１の間隔で支持板３が位置するように、支持棒２のオフセット軸部２２同士を最も近づけてオフセットさせておく。
【００３４】
使用者５が端坐位を構成するための椅子６としては、使用者５が大腿部５１を外旋させても問題無く追従することができるように、座面６１が沈み込まない椅子６を使用することが好ましい。
【００３５】
この状態になったら、モータ４を作動させて運動を開始する。モータ４を作動させると、支持板３が基準位置Ａと離隔位置Ｂとの間で往復運動を繰り返すこととなり、大腿部５１は、ゼロポイントから股関節が外旋する位置へと移動し、また股関節が元のゼロポイントへと戻る位置へと外旋運動を繰り返すこととなる。したがって、股関節には、外旋刺激が加えられることとなり、この外旋刺激によって、下肢の血行促進を図ることができることとなる。この際、股関節刺激装置１は、使用者５の大腿部５１を支持板３で支持して往復運動させることによって股関節に外旋刺激を加えるので、足関節、膝関節、下腿部を怪我しているような場合であっても、これらの部位に負担を掛けずに股関節を刺激できる。また、足関節や膝関節で動きを吸収されることなく、大腿部５１を直接外旋させて股関節を刺激することができる。
【００３６】
なお、本実施の形態においては、端坐位の状態で大腿部５１を支持板３で支持して使用するようになされているが、図９に示すように、長坐位の状態で下腿部５２の裏面を支持板３で支持して使用するものであってもよい。この場合、大腿部５１よりも股関節から離れた下腿部５２を支持して往復動させるため、股関節の外旋角度が小さくなるが、股関節に外旋方向の振動刺激を加えるものとしては十分である。
【００３７】
また、本実施の形態において、股関節刺激装置１は、使用者５が端坐位または長坐位で使用するようになされているが、図１０および図１１に示すように、上記した端坐位または長坐位のまま上半身を仰向けに寝かせた背臥位で使用してもよい。この場合、椅子６の代わりに長椅子やベッド７の端に腰かけてそのまま仰向けに寝た状態となることで使用することができる。ただし、背臥位の場合、股関節は、外旋ではなく、外転することとなる。したがって、中臀筋５３の促通が図られることとなる。中臀筋５３は、歩行時に左右のバランスを取る筋肉であるが、老化等による股関節の可動域の低下とともに、その筋の促通が低下するため、機能が低下することとなる。このように股関節の可動域が狭くなり、中臀筋５３の機能が低下すると、歩行時の左右バランスは、足関節や膝関節などに負担されることとなる。しかし、この股関節刺激装置１によって、中臀筋５３の促通が図られることにより、歩行時のバランスを中臀筋５３で取ることが可能となり、歩行時の下肢の関節の負担を軽減することができる。
【００３８】
次に、外旋限界位置付近での使用方法について述べる。
【００３９】
使用者５は、図６および図１２に示すように、股関節刺激装置１の基盤１０の一方の長辺と対向する位置に端坐位となり、支持板３上に大腿部５１の裏面を載置させる。この際、支持板３の高さは、使用者５の足底全体または踵部が地面から浮き上がるように支持するものであってもよいし、足底は地面に付いているが、大腿部５１を外旋させることができる程度に支持するように調整しておく。また、支持板３は、第二離隔位置Ｂ２において、使用者５が股関節を約４５度外旋させた外旋限界位置付記に支持板３が位置するように、支持棒２のオフセット軸部２２をそれぞれオフセットさせておく。
【００４０】
使用者５が端坐位を構成するための椅子６としては、使用者５が大腿部５１を外旋させても問題無く追従することができるように、座面６１が沈み込まない椅子６を使用することが好ましい。
【００４１】
この状態になったら、モータ４を作動させて運動を開始する。モータ４を作動させると、支持板３が第二基準位置Ａ２と第二離隔位置Ｂ２との間で往復運動を繰り返すこととなり、大腿部５１は、外旋限界附近から股関節が内旋する位置へと移動し、また股関節が元の外旋限界附近の位置へと移動する外旋運動を繰りかえすこととなる。したがって、股関節には、股関節の外旋限界附近で、外旋刺激が加えられることとなり、この外旋刺激によって、上記したゼロポイント付近での股関節外旋運動と同様の効果が得られる。また、ゼロポイント付近での外旋刺激と、外旋限界附近での外旋刺激との両方で、股関節を刺激することができるので、股関節の可動域自体も広げることができることとなる。
【００４２】
また、この外旋限界付近で使用した場合、大臀筋５４（図６参照）の筋の収縮が活発になり、当該大臀筋５４の促通を図ることができることとなる。この大臀筋５４は、歩行時に使用されるが、老化等による股関節の可動域の低下とともに筋力が低下し、代わって大腿四頭筋の負担が増すことになるが、この股関節刺激装置１によって、大臀筋５４の促通が図られることにより、歩行時に大臀筋５４を使用する割合を増やすことが可能となり、歩行時の下肢の筋肉の負担を軽減することができる。
【００４３】
なお、本実施の形態においては、端坐位の状態で大腿部５１を支持板３で支持して使用するようになされているが、図９に示すように、長坐位の状態で下腿部裏面を支持板３で支持して使用するものであってもよい。この場合、大腿部５１よりも股関節から離れた下腿部５２を支持して往復動させるため、股関節の外旋角度が小さくなるが、股関節に外旋方向の振動刺激を加えるものとしては十分である。
【００４４】
また、本実施の形態において、股関節刺激装置１は、使用者５が端坐位または長坐位で使用するようになされているが、上記した端坐位または長坐位のまま上半身を仰向けに寝かせた背臥位で使用してもよい。この場合、椅子６の代わりに長椅子やベッド７の端に腰かけてそのまま仰向けに寝た状態となることで使用することができる。ただし、背臥位の場合、股関節は、外旋ではなく外転することとなる。したがって、使用者５は、一般的には約４５度外転した位置までしか外転させることができないので、第二離隔位置Ｂとなった際に４５度以上外転しないように、支持棒２のオフセット軸部２２によるオフセット量を調整しておく必要がある。このように、使用者５が背臥位となって、股関節の外転限界付近で使用することで、中臀筋５３は、より収縮することができるので、上記したゼロポイント付近で背臥位となって使用する場合よりも、より中臀筋５３の筋の促通を図ることができる。
【００４５】
なお、このような使用形態において、股関節刺激装置１は、仮に、一般人の股関節の外転限界である４５度以上の外転をするようなことがあったとしても、クランク軸４０は、所定のトルクを超えると、伸びたり、屈曲したりするので、使用者５が股関節を痛めるようなことにはならない。
【００４６】
このように本発明の股関節刺激装置１によると、足関節、膝関節、下腿部、足底部などに負荷をかけることなく、股関節を刺激することができることとなる。したがって、下肢が弱った高齢者や怪我をした患者などであっても、この股関節刺激による下肢の血行の増進などを図ることができる。
【００４７】
また、背臥位で使用した際には中臀筋５３を刺激することができ、歩行時の左右バランスを、体幹に近い中臀筋５３で取る能力が向上することとなる。これにより、下肢が弱った高齢者や怪我をした患者などは、足関節や膝関節に無理な負荷が加わることを防止することができ、下肢の負担を中臀筋５３で分担することができる。また、運動選手などの場合は、体幹の意識を高めて運動能力の向上を図ることができる。
【００４８】
さらに、本発明の股関節刺激装置１は、上記したゼロポイント付近での使用に加え、第二基準位置Ａおよび第二離隔位置Ｂ２のように、外旋限界付近で使用した場合、股関節に異なった刺激を加えることができることとなり、股関節の可動域を大きくすることができることとなる。また、股関節刺激装置１は、基準位置Ａで使用するよりも、第二基準位置Ａ２で使用した場合、坐位においてはより使用者５の大臀筋５４の意識を高めることができ、背臥位においては、使用者５の中臀筋５３の意識をより高めることができる。
【００４９】
なお、本実施の形態において、股関節刺激装置１は、基準位置Ａと第二基準位置Ａ２とに、支持棒２のオフセット量を調整して使用することができるように構成されているが、基準位置Ａだけで使用するように構成されたものであってもよいし、第二基準位置Ａ２だけで使用するように構成されたものであってもよい。
【００５０】
また、本実施の形態において、股関節刺激装置１は、支持棒２のオフセット量を調整することで基準位置Ａと第二基準位置Ａ２とに調整できるように構成されているが、支持棒２はオフセット量を調整することができず、クランク軸４０の長さを変更することで、オフセット量を調整できるように構成されたものであってもよい。
【産業上の利用可能性】
【００５１】
本発明に係る股関節刺激装置は、椅子やベッドのある各種の使用環境において健康増進に用いられる。
【符号の説明】
【００５２】
１  股関節刺激装置
１０  基盤
２  支持棒
２１  回動軸部
２２  オフセット軸部
２２ｅ  固定金具（長さの調整手段）
３  支持板
４  モータ
４０  クランク軸
４１  ギア
４２  ギア
５  使用者
５１  大腿部
５２  下腿部
５３  中臀筋
５４  大臀筋
Ａ  基準位置
Ａ２  第二基準位置
Ｂ  離隔位置
Ｂ２  第二離隔位置
【図１】
2015029716.tif 000003
【図２】
2015029716.tif 000004
【図３】
2015029716.tif 000005
【図４】
2015029716.tif 000006
【図５】
2015029716.tif 000007
【図６】
2015029716.tif 000008
【図７】
2015029716.tif 000009
【図８】
2015029716.tif 000010
【図９】
2015029716.tif 000011
【図１０】
2015029716.tif 000012
【図１１】
2015029716.tif 000013
【図１２】
2015029716.tif 000014